(57)【要約】  筐体内に電池６と回路基板７が収容されている携帯型電子機器１において、筐体は、使用時に把持されない非把持領域１ｂと、非把持領域１ｂ以外の部分である把持領域１ａとを含み、回路基板７は非把持領域１ｂに配置されている。非把持領域１ｂは、携帯型電子機器１の使用時に上部に位置する領域である。電池６の少なくとも一部は把持領域１ａに位置している。電池６と回路基板７との間に断熱スペースが設けられている。
2013018553.tif 000002
【特許請求の範囲】
【請求項１】
使用時に把持されない非把持領域と該非把持領域以外の部分である把持領域とを含む筐体と、
前記筐体内に収容されている電池と、
前記筐体内に収容され、前記非把持領域に配置されている回路基板と、
を有する携帯型電子機器。
【請求項２】
前記非把持領域は、前記携帯型電子機器の使用時に上部に位置する領域である、請求項１に記載の携帯型電子機器。
【請求項３】
前記電池の少なくとも一部は前記把持領域に位置している、請求項１または２に記載の携帯型電子機器。
【請求項４】
前記電池と前記回路基板との間に断熱スペースが設けられている、請求項１から３のいずれか１項に記載の携帯型電子機器。
【請求項５】
使用時に表面が使用者によって把持されない非把持領域と、該非把持領域以外の部分である把持領域とを含む筺体と、
前記筺体内に収容され、少なくとも使用時に発熱する第１の発熱体および第２の発熱体であって、前記第１の発熱体は前記把持領域よりも前記非把持領域の近傍に配置されている、第１の発熱体および第２の発熱体と、
を有する携帯型電子機器。
【請求項６】
前記第２の発熱体の少なくとも一部は前記把持領域に位置している、請求項５に記載の携帯型電子機器。
【請求項７】
前記第１の発熱体と前記第２の発熱体との間に断熱スペースが設けられている、請求項５または６に記載の携帯型電子機器。
【発明の詳細な説明】
【技術分野】
【０００１】
本発明は携帯型電子機器に関する。
【背景技術】
【０００２】
近年、携帯電話機や、携帯電話機よりも大型のいわゆるタブレット型情報端末などの携帯型電子機器が普及してきている。このような携帯型電子機器は、薄型化や軽量化が進められているため、筐体内に多数の部品が高密度に収容されている。【０００３】
携帯型電子機器の筐体内に収容される部品の中には、発熱する部品が含まれる。そこで、特許文献１では、電子機器の外表面をヒートシンクとして機能させて放熱させるように、筐体の一部に波状輪郭を形成している。また、特許文献２では、筐体の内部に熱伝導部材を貼り付け、この熱伝導部材により、発熱部品から伝わった熱を上筐体に効果的に拡散させて逃がしている。
【先行技術文献】
【特許文献】
【０００４】
【特許文献１】特表２０１０−５０７２４３号公報
【特許文献２】特開２００５−１５０６６８号公報
【発明の概要】
【発明が解決しようとする課題】
【０００５】
特許文献１，２のように、携帯型電子機器の内部に収容された部品の発熱に対する対策が考えられてきたが、十分な効果は得られておらず、さらなる発熱対策が求められている。特に、特許文献１，２では、電子機器の外表面や上筐体から放熱しているため、使用者がそれらの放熱部分に触れると熱さを感じる。このように、内部の部品の発熱によって携帯型電子機器の温度が高くなりすぎて使用者に熱さを感じさせることに対して、特許文献１，２に記載された発明はあまり有効な対策になっていない。また、発熱部品自体の種類を考慮した発熱対策はほとんど講じられていない。【０００６】
そこで本発明の目的は、前記した問題点を解決して、内部に収容された部品からの発熱によって使用者が熱さを感じるのを抑えることができる携帯型電子機器を提供することにある。
【課題を解決するための手段】
【０００７】
本発明の携帯型電子機器は、使用時に把持されない非把持領域と非把持領域以外の部分である把持領域とを含む筐体と、筐体内に収容されている電池と、筐体内に収容され、非把持領域に配置されている回路基板と、を有する。非把持領域は、携帯型電子機器の使用時に上部に位置する領域である。電池の少なくとも一部は把持領域に位置していてよい。そして、電池と回路基板との間に断熱スペースが設けられていることが好ましい。【０００８】
本発明のもう１つの携帯型電子機器は、使用時に表面が使用者によって把持されない非把持領域と非把持領域以外の部分である把持領域とを含む筺体と、筺体内に収容され、少なくとも使用時に発熱する第１の発熱体および第２の発熱体であって、第１の発熱体は把持領域よりも非把持領域の近傍に配置されている、第１の発熱体および第２の発熱体と、を有する。第２の発熱体の少なくとも一部は把持領域に位置していてよい。第１の発熱体と第２の発熱体との間に断熱スペースが設けられていることが好ましい。
【発明の効果】
【０００９】
本発明によると、携帯型電子機器の使用時に一方の発熱体、例えば回路基板が発熱しても、その携帯型電子機器を把持している使用者には熱が直接伝わらず、使用者に熱さを感じさせにくい。
【図面の簡単な説明】
【００１０】
【図１】（ａ）は本発明の携帯型電子機器の一実施形態の表面側斜視図、（ｂ）はその裏面側斜視図、（ｃ）はその側面図である。
【図２】図１に示す携帯型電子機器の平面図である。
【図３】図１，２に示す携帯型電子機器の使用状態を示す説明図である。
【図４】図１，２に示す携帯型電子機器の側面断面図である。
【発明を実施するための形態】
【００１１】
以下、本発明の実施の形態について図面を参照して説明する。
【００１２】
図１（ａ）〜（ｃ）に、本発明の携帯型電子機器の一実施形態であるタブレット型情報端末１が示されている。このタブレット型情報端末１は、一般的な携帯電話機よりも大型であるが、使用者が手に持って操作できる程度の小型かつ軽量の機器であり、フロントカバー２とリアカバー３とによって構成される筐体内に様々な部品が収容された構成である。タブレット型情報端末１の一方の面（表面）には、長方形の平面形状を有するタッチパネル４が配置され、タッチパネル４の周囲がフロントカバー２に囲まれている。本実施形態のタッチパネル４は、例えば７インチサイズ（対角線が７インチ＝１７．７８ｃｍの四角形）の液晶表示装置とそれを覆うガラス等の透明スクリーンとからなる。タブレット型情報端末１の他方の面（裏面）は主にリアカバー３によって構成され、リアカバー３の一部から内蔵カメラ５のレンズ５ａとカメラ撮影用ライト１１が露出している。リアカバー３は概ね曲面状であり、タブレット型情報端末１の長手方向に沿って、隆起した凸形状の両側部３ａ，３ｃと、両側部３ａ，３ｃに挟まれる凹形状の中央部３ｂとを有する。ただし、本発明では、リアカバー３が必ずしも曲面状である必要はない。
【００１３】
使用者は、タブレット型情報端末１のリアカバー３を一方の手で把持し、他方の手の指でタッチパネル４を触って操作するのが、通常である。
【００１４】
このタブレット型情報端末１の筐体の内部が、図２に模式的に示されている。筐体内には、充電式電池（バッテリー）６と回路基板７が平面的に並べて配置されている。筐体内の充電式電池６側の端部には、スピーカ８と、バイブレータ９と、アンテナ１０の一端部が配置されている。筐体内の回路基板７側の端部には、内蔵カメラ５と、カメラ撮影用ライト１１と、イヤホンジャック１２と、音量調整等に使用されるスライドキー１３と、ＵＳＢ端子１４と、カードスロット１５，１６と、充電用端子１７が配置されている。これらは全て回路基板７に接続されている。カードスロットの一例としては、ＳＩＭ（Subscriber Identity Module）カードスロット１５と、ＳＤ（Secure Digital）カードスロット１６が挙げられる。これらは全て回路基板７に接続されている。
【００１５】
図示しない充電器が充電用端子１７に接続されると、充電用端子１７から回路基板７を介して充電式電池６に電力が蓄えられる。ＳＩＭカードスロット１５には、通信事業者から供給された通信用ＩＣカード（ＳＩＭカード）が挿入され、アンテナ１０を介して外部機器との無線通信を行う。スピーカ８、またはイヤホンジャック１２に接続された図示しないイヤホンからの発音と、スライドキー１３による音量調整が行えるようになっている。発音と同期して、または発音とは独立して、バイブレータ９による振動を発生することもできる。そして、内蔵カメラ５による撮影が可能であるとともに、必要に応じてカメラ撮影用ライト１１を使用者がオン・オフできるようになっている。さらに、ＳＤカードスロット１５に挿入された図示しないＳＤカードや、ＵＳＢ端子１４に接続された図示しないＵＳＢメモリに、各種のデータ（音声データや画像データや電話番号やメールアドレスなど）を記憶させることができる。これらの様々な機能は、公知の電子機器と同様に、回路基板７上に搭載された図示しない様々な電気部品によって実行および制御される。
【００１６】
このような回路基板７に搭載された電気部品の多く（例えばＣＰＵ：中央処理ユニット）は作動時に発熱するため、このような電気部品を含む回路基板７自体が発熱体（第１の発熱体）であるとみなされる。一方、充電式電池６は、充電用端子１７から回路基板７を介して電力が蓄えられる時に発熱する発熱体（第２の発熱体）である。すなわち、このタブレット型情報端末１には、充電式電池６と回路基板７という２種類の発熱部品が存在する。
【００１７】
これまでの一般的な携帯型電子機器の構成では、筐体の内部のほぼ全域に広がる大きな回路基板が配置され、この回路基板に重なるように充電式電池が置かれている。その場合、２種類の発熱部品が重なり合っているため熱の逃げ場がなく、両発熱部品からの熱が加わり合って昇温する。
【００１８】
これに対し、本発明では、充電式電池６と回路基板７とを平面的に見て離して配置している。そして、前記したように、筐体内の一方の端部側に回路基板７を配置している。
【００１９】
本実施形態のタブレット型情報端末１は、通常、図３に模式的に示すようにタブレット型情報端末１を縦長配置にして使用者が下部を把持した状態で使用される。このような使用時には、タッチパネル４に表示される表示内容によって、また筐体に形成されているロゴや文字等によって、タブレット型情報端末１の上下が概ね決められている。従って、使用時のタブレット型情報端末１の上下は一定であり、使用する度に上下が逆転するようなことはない。そして、通常の使用時には、図３に示すように使用者はタブレット型情報端末１の下部を把持するため、使用者によって把持される部分は概ね一定であり、通常の使用時には使用者によって把持されない部分も存在する。すなわち、このように用いられるタブレット型情報端末１には、大まかに、使用時に使用者によって筐体の表面が把持される可能性がある把持領域１ａと、使用時に通常は筐体の表面が把持されない非把持領域１ｂとが存在する。非把持領域１ｂは、タブレット型情報端末１の使用時に上部に位置する領域である。そして、本発明では、非把持領域１ａに回路基板７を配置している。一方、充電式電池６は、把持領域１ａに非把持領域１ｂに位置していてもよい。この点について説明すると、回路基板７が発熱するのは、主にタブレット型情報端末１が使用されているとき、すなわち、使用者が把持領域１ａを把持している時である。従って、回路基板７を、タブレット型情報端末１の使用時に使用者の手に触れる機会が少ない非把持領域１ｂに配置しておくことにより、回路基板７が発熱しても使用者には熱が直接伝わらず、使用者に熱さを感じさせにくくなっている。少なくとも、回路基板７を把持領域１ａよりも非把持領域１ｂの近傍に配置すると、使用者に熱さを感じさせにくい点である程度の効果がある。
【００２０】
一方、充電式電池６は主に充電中に発熱する。そして、充電中にはタブレット型情報端末１は図示しない充電器に接続され、充電器のホルダに保持されるか放置されて、使用者が手で持つことはあまりない。従って、充電式電池６が把持領域１ａに位置していたとしても、その発熱時に使用者に熱さを感じさせる可能性は低いので、充電式電池６は把持領域１ａに位置していても非把持領域１ｂに位置していてもよい。筐体内に収容される様々な部品の中で充電式電池６は比較的重いので、筐体の下部に位置していると、図３に示すようにタブレット型情報端末１を縦長配置にして使用者が下部を把持した際に重心が下部に位置して安定するというさらなる利点がある。
【００２１】
タブレット型情報端末１の筐体の、把持時に使用者の手によって触れられる部分は、使用者の利き手や手の大きさによって多少変動する。しかし、使用者の利き手や手の大きさがある程度異なっていたとしても、把持時に使用者の手に触れることがほとんど考えられない領域が、主に筐体の上部に存在する。本明細書では、そのような領域を非把持領域１ｂと称し、それ以外の部分を把持領域１ａと称している。このように、本発明では、使用者の利き手や手の大きさにかかわらず把持時に触れられることがほとんどない非把持領域１ｂに、主にタブレット型情報端末１の使用時に発熱する回路基板７を配置している。それによって、回路基板７の発熱自体は抑えられなくても、使用者に熱さを感じさせるおそれは小さい。
【００２２】
また、本発明では、充電式電池６と回路基板７とを平面的に見て離して配置しており、充電式電池６と回路基板７との間には、断熱スペースＳが設けられている。この構成によると、主に携帯型電子機器の使用時に回路基板７が発する熱は、断熱スペースＳによってある程度遮断されるとともに自然冷却され、把持領域１ａにはあまり伝わらない。仮に充電式電池６と回路基板７とが同時に発熱したとしても、両方の熱が加わり合うことはなく、それぞれ断熱スペースＳにて抑えられるため、温度の上昇が抑制される。
【００２３】
本出願は２０１１年７月２９日に出願された日本出願特願２０１１−１６７２９２号を基礎とする優先権を主張し、その開示の全てをここに取り込む。
【符号の説明】
【００２４】
１      タブレット型情報端末（携帯型電子機器）
１ａ    把持領域
１ｂ    非把持領域
２      フロントカバー（筐体）
３      リアカバー（筐体）
４      タッチパネル
６      充電式電池（第２の発熱体：バッテリー）
７      回路基板（第１の発熱体）
Ｓ      断熱スペース
【図１】
2013018553.tif 000003
【図２】
2013018553.tif 000004
【図３】
2013018553.tif 000005
【図４】
2013018553.tif 000006
【国際調査報告】
2013018553.tif 000007
2013018553.tif 000008
2013018553.tif 000009